(57)【特許請求の範囲】
【請求項１】
水軟化性、水解性又は水溶性を有する剛性シートを備える機能層と、
前記機能層の両面に積層され、水解性又は水溶性を有する中間シートを備える中間層と、
前記中間層の両面に積層され、水解性又は水溶性の外層シートを備える外層と、を備え、
前記中間層は、前記外層よりも耐水性に優れ、
当該清掃用シートが便器の水溜りに投棄されると、前記機能層、前記外層及び前記中間層が分解又は溶解されることを特徴とする清掃用シート。
【請求項２】
前記機能層は、界面活性剤を備え、
当該清掃用シートが便器の水溜りに投棄されると、前記界面活性剤が水中に溶けて便器壁面を洗浄することを特徴とする請求項１に記載の清掃用シート。
【請求項３】
前記機能層は、発泡剤を備え、
当該清掃用シートが便器の水溜りに投棄されると、前記発泡剤が発泡して水面の高さを上昇させ便器壁面の水と接する部分に付着した汚れを浮かせることを特徴とする請求項１又は２に記載の清掃用シート。
【請求項４】
前記機能層は、便器内の水よりも便器壁面との親和性の高い成分を含む機能材を備え、
当該清掃用シートが便器の水溜りに投棄されると、前記機能材が便器壁面に付着して当該便器壁面をコートすることを特徴とする請求項１〜３の何れか一項に記載の清掃用シート。
【請求項５】
前記機能層は、水に反応して変色する指示薬を備え、
当該清掃用シートが便器の水溜りに投棄されると、前記指示薬が水に反応して変色することを特徴とする請求項１〜４の何れか一項に記載の清掃用シート。
【請求項６】
前記機能層は、水溶性マイクロカプセルに内包された香料を備え、
当該清掃用シートが便器の水溜りに投棄されると、前記水溶性マイクロカプセルが溶けて内包された香料が水中に流出することを特徴とする請求項１〜５の何れか一項に記載の清掃用シート。
【請求項７】
前記機能層は、水中の悪臭成分を封じ込める包接化合物を備え、
当該清掃用シートが便器の水溜りに投棄されると、前記包接化合物が水中の悪臭成分を封じ込めることを特徴とする請求項１〜６の何れか一項に記載の清掃用シート。
【請求項８】
前記機能層と前記中間層との間、及び／又は前記中間層と前記外層との間に、水解性又は水溶性の遮水層を備えることを特徴とする請求項１〜７の何れか一項に記載の清掃用シート。
【発明の詳細な説明】
【技術分野】
【０００１】
本発明は、清掃用シートに関する。
【背景技術】
【０００２】
従来、清掃時において、清掃箇所を拭き取るための清掃用シートが普及している。
このような清掃用シートとして、例えば、水解性シートと親水性フィルムとを積層させ、水分を浸み込ませても手を濡らすことなく、使用後にはそのまま水に流すことのできるトイレ清掃用シートが知られている（例えば、特許文献１参照。）。
トイレ清掃においては、便器便座の外部を拭くには含浸される洗剤は低濃度の方がよく、便器内部を拭くには高濃度の方が好ましい。しかしながら、一般に、上記のような清掃用シートは、洗剤濃度のような機能を清掃時に変更することは難しい。
そこで、例えば、吸液性シートと、この吸液性シートに固定され内部に液が収納された液袋を具備し、液袋の一部を破ったときに液が流出する床清掃用シートが知られている（例えば、特許文献２参照。）。
【先行技術文献】
【特許文献】
【０００３】
【特許文献１】特開２００１−１８７０１０号公報
【特許文献２】特開２００９−０８２３００号公報
【発明の概要】
【発明が解決しようとする課題】
【０００４】
しかしながら、特許文献２の床清掃用シートは、物理的に液袋を破らないと、液が流出しないので、液袋を破る作業が煩雑であるという問題があった。
【０００５】
本発明の課題は、特に、便器を清掃する際に好適に使用され、水中に投棄可能な清掃用シートであって、水中投棄前及び水中投棄後の各々において必要な機能を付与することが出来ると共に、当該機能を発揮させる際に特別な手間がかからず簡単に使用できる清掃用シートを提供することである。
【課題を解決するための手段】
【０００６】
前記課題を解決するために、請求項１に記載の発明に係る清掃用シートは、
水軟化性、水解性又は水溶性を有する剛性シートを備える機能層と、
前記機能層の両面に積層され、水解性又は水溶性を有する中間シートを備える中間層と、
前記中間層の両面に積層され、水解性又は水溶性の外層シートを備える外層と、を備え、
前記中間層は、前記外層よりも耐水性に優れ、
当該清掃用シートが便器の水溜りに投棄されると、前記機能層、前記外層及び前記中間層が分解又は溶解されることを特徴とする。
【０００８】
請求項２に記載の発明は、請求項１に記載の清掃用シートにおいて、
前記機能層は、界面活性剤を備え、
当該清掃用シートが便器の水溜りに投棄されると、前記界面活性剤が水中に溶けて便器壁面を洗浄することを特徴とする。
【０００９】
請求項３に記載の発明は、請求項１又２に記載の清掃用シートにおいて、
前記機能層は、発泡剤を備え、
当該清掃用シートが便器の水溜りに投棄されると、前記発泡剤が発泡して水面の高さを上昇させ便器壁面の水と接する部分に付着した汚れを浮かせることを特徴とする。
【００１０】
請求項４に記載の発明は、請求項１〜３の何れか一項に記載の清掃用シートにおいて、
前記機能層は、便器内の水よりも便器壁面との親和性の高い成分を含む機能材を備え、
当該清掃用シートが便器の水溜りに投棄されると、前記機能材が便器壁面に付着して当該便器壁面をコートすることを特徴とする。
【００１１】
請求項５に記載の発明は、請求項１〜４の何れか一項に記載の清掃用シートにおいて、
前記機能層は、水に反応して変色する指示薬を備え、
当該清掃用シートが便器の水溜りに投棄されると、前記指示薬が水に反応して変色することを特徴とする。
【００１２】
請求項６に記載の発明は、請求項１〜５の何れか一項に記載の清掃用シートにおいて、
前記機能層は、水溶性マイクロカプセルに内包された香料を備え、
当該清掃用シートが便器の水溜りに投棄されると、前記水溶性マイクロカプセルが溶けて内包された香料が水中に流出することを特徴とする。
【００１３】
請求項７に記載の発明は、請求項１〜６の何れか一項に記載の清掃用シートにおいて、
前記機能層は、水中の悪臭成分を封じ込める包接化合物を備え、
当該清掃用シートが便器の水溜りに投棄されると、前記包接化合物が水中の悪臭成分を封じ込めることを特徴とする。
【００１４】
請求項８に記載の発明は、請求項１〜７の何れか一項に記載の清掃用シートにおいて、
前記機能層と前記中間層との間、及び／又は前記中間層と前記外層との間に、水解性又は水溶性の遮水層を備えることを特徴とする。
【発明の効果】
【００１５】
本発明によれば、所定の機能を有する機能材を備える機能層と、機能層の両面に積層され、水溶性を有する中間シートを備える中間層と、中間層の両面に積層され、水解性の外層シートを備える外層と、を備え、中間層は、外層よりも耐水性に優れ、当該清掃用シートが水中に投棄されると中間層が分解又は溶解されて機能材が所定の機能を発揮するように構成されている。
従って、中間層は外層よりも耐水性に優れるため、通常は、多少、水に濡れても機能層に影響を与えることなく、清掃用シートとして外層により汚れを拭くことができる。そして、清掃後は、当該清掃用シートが水中に投棄されると中間層が溶解されて機能材が所定の機能を発揮するので、水中投棄前及び水中投棄後の各々において必要な機能を付与することが出来ると共に、当該機能を発揮させる際に特別な手間がかからず簡単に使用できる。
【図面の簡単な説明】
【００１６】
【図１】第１実施形態の清掃用シートの外観図である。
【図２】図１の清掃用シートの拡大断面図である。
【図３】第２実施形態の清掃用シートの拡大断面図である。
【図４】本発明の清掃用シートの変形例を示す図である。
【図５】本発明の清掃用シートの変形例を示す図であり、（ａ）は、複数の機能材が機能層内部で混在する様子を示し、（ｂ）は、複数の機能材が別々に覆われている様子を示している。
【図６】本発明の清掃用シートの変形例を示す図である。
【発明を実施するための形態】
【００１７】
以下、図を参照して、本発明に係る清掃用シートについて、詳細に説明する。
なお、本発明の清掃用シートは、特に、便器や便座の内外の汚れを拭き取りための清掃用シートであり、使用後はそのまま水に投棄可能に構成されるものである。
また、使用方法としては、乾燥した状態（ドライ状態）で使用しても良いし、薬液や水等を含浸させた状態（ウエット状態）で使用しても良い。
【００１８】
［第１実施形態］
図１、２に示すように、本実施形態の清掃用シート１０は、所定の機能を有する機能材を備える機能層１と、機能層１の両面に積層され、水溶性又は水解性を有する中間シート２Ａ、２Ｂを備える中間層２と、中間層２の両面に積層され、水溶性又は水解性の外層シート３Ａ、３Ｂを備える外層３と、を備えて構成されている。
本実施形態においては、機能層１には、機能材として、乾燥状態では硬く、水中では軟化、分解、又は溶解する面状物体である剛性シート１Ａが備えられている。
清掃用シート１０は、内部に剛性シート１Ａを備えることによって、硬く、清掃対象場所を擦る場合に力を加えても破れることがないようになっている。
【００１９】
剛性シート１Ａは、乾燥時と湿潤時（水中に投棄した際）とで性質が異なる物質により形成されている。具体的には、剛性シート１Ａは、乾燥状態では、所定箇所を擦るのに必要な剛性を有する程度に硬く、水中に投棄した状態で、流せる程度に軟化、分解、又は溶解する物質により形成されており、例えば、板状やスポンジ状の寒天、ゼラチン、水解紙、水解性不織布、米粉等の粉末を固めたもの、等により形成されている。
この剛性シート１Ａは、両面が一定の耐水性を備えた中間シート２Ａ、２Ｂにより覆われており、そのため清掃用シート１０が所定値未満の湿潤状態にあるときには、乾燥状態に保たれるようになっている。従って、剛性シート１Ａは、乾燥状態が維持される限りは、一定の剛性を清掃用シート１０に対して付与することが可能である。
なお、剛性シート１Ａの剛性の度合いは任意に決定されるものであるが、折り曲げて立たせることができる程度の剛性を有することが好ましい。
また、この剛性シート１Ａは、清掃用シート１０が所定値以上の湿潤状態にあるときには性質が変化する。つまり、清掃用シート１０を、例えばトイレ等に投棄した場合には水よって軟化、分解、又は溶解することとなる。
【００２０】
中間シート２Ａ、２Ｂは、一定の耐水性を有し、所定量以上の水分によって水溶又は水解する性質を有するフィルムであって、具体的には、例えば、ＰＶＡ(polyvinyl alcohol)、ＰＶＡｃ(polyvinyl acetate)、ゼラチン等からなるフィルムや、オブラート等により形成されている。
この中間シート２Ａ、２Ｂは、剛性シート１Ａと、外層シート３Ａ、３Ｂとの間に介在し、一定量以下の水分であれば、外層シート３Ａ、３Ｂ側から剛性シート１Ａに水分が浸透するのを防ぐ保護膜として機能している。つまり、中間シート２Ａ、２Ｂは、外層シート３Ａ、３Ｂよりも耐水性に優れるように構成されている。
ここで、「耐水性に優れる」とは、具体的には、中間シート２Ａ、２Ｂと、外層シート３Ａ、３Ｂとを同じ量の水に曝したときに、中間シート２Ａ、２Ｂの方が溶解または分解するのが遅いことを意味する。又は、溶解または分解するのに必要な水量が、中間シート２Ａ、２Ｂの方が、外層シート３Ａ、３Ｂより多いことを意味する。
なお、中間シート２Ａ、２Ｂは、水蒸気の透過を防止するため、ガスバリア性を有することが好ましい。
【００２１】
外層シート３Ａ、３Ｂは、例えば、スパンレース、エアスルー、エアレイド、ポイントボンド、スパンボンド、ニードルパンチ等の周知の技術により製造される水解性不織布であって、清掃シートの用途等に応じて選択された任意の繊維を任意の配合率で混合して製造される。
具体的には、外層シート３Ａ、３Ｂは、繊維を主体として構成された水溶性又は水解性を有するシート材であり、例えば、ＰＶＡ繊維のように繊維自体が溶解する素材の他、水中で繊維間の結合が解除されて細片化する素材等により構成される。水中で細片化する素材の例としては、例えば、水中で水素結合が弱まるパルプ繊維から構成されるシート材や、非水溶性繊維同士を水溶性錯体（例えば、ホウ酸とＰＶＡ、２価金属とＣＭＣ等）により架橋して構成されるシート材、非水溶性繊維同士を水溶性の繊維やバインダ（例えば、ＰＶＡやでんぷん類等）の混合により接着して構成されるシート材、等が挙げられる。
【００２２】
上記の中間シート２Ａ、２Ｂは、例えば、剛性シート１Ａを内包した状態で両端部をセーラで折り畳み、水溶着又は熱融着により端部を閉じることで内部に水が入らないように密閉されている。
このように密閉された中間シート２Ａ、２Ｂは、さらにその表面を外層シート３Ａ、３Ｂによりそれぞれ覆われ、中間シート２Ａ、２Ｂと外層シート３Ａ、３Ｂとは、上下に積層された状態で少なくとも２箇所にて、ヒートシール、超音波接着、ホットメルト、エンボス、などの熱融着処理によって接着されている。
なお、外層シート３Ａ、３Ｂをそれぞれ中間シート２Ａ、２Ｂに止着していても良いが、外層シート３Ａ、３Ｂの周端部同士を直接止着することとしても良い。
【００２３】
次に、清掃用シート１０の作用について説明する。
清掃用シート１０は、その内部において、一定の耐水性を有する中間シート２Ａ、２Ｂにより覆われているので、清掃用シート１０をドライ状態で使用した場合であっても、ウエット状態で使用した場合であっても、剛性シート１Ａの乾燥状態を維持しつつ清掃が行える。
このため、濡れ拭きをする際にも剛性シート１Ａの剛性を利用して強く擦ったり、折り曲げた角で清掃箇所の細かい部分などを拭いたりすることができることとなる。
また、清掃用シート１０を水中に投棄した際には、外層シート３Ａ、３Ｂ、中間シート２Ａ、２Ｂ、剛性シート１Ａは何れも水に溶解する。
【００２４】
以上説明したように、本実施形態の清掃用シート１０によれば、中間層２は外層３よりも耐水性に優れるため、通常は、多少、水に濡れても機能層１に影響を与えることなく、清掃用シート１０として外層３により汚れを拭くことができる。そして、清掃後は、当該清掃用シート１０が水中に投棄されると中間層２が溶解されて機能材が所定の機能を発揮するので、水中投棄前及び水中投棄後の各々において必要な機能を付与することが出来ると共に、当該機能を発揮させる際に特別な手間がかからず簡単に使用できる。
また、機能材として、剛性シート１Ａを備えることにより、ドライ状態で使用する場合であってもウエット状態で使用する場合であっても、便器内部を清掃するのに使用に耐え得る強度を付与できることとなり、従って、便器外部から内部を清掃するのに、用具を持ち替える等の手間を省略でき、効率的に清掃することができる。
また、剛性シート１Ａを備えることにより、擦る際に裏面に液汚れが染み出し難く、使用者の手が汚れづらいため、衛生的に清掃することができる。
【００２５】
［第２実施形態］
次に、本発明の第２実施形態について、第１実施形態と異なる点を中心に説明する。なお、第１実施形態と同一の構成については同一の符号を付して説明を省略する。
【００２６】
図３に示すように、本実施形態の清掃用シート２０は、機能層１と、中間シート２Ａ、２Ｂを備える中間層２と、外層シート３Ａ、３Ｂを備える外層３と、を備えて構成されている。
本実施形態においては、機能層１には、機能材として、剛性シート１Ａ、界面活性剤１Ｂ、及び発泡剤１Ｃが備えられている。
清掃用シート２０は、内部に剛性シート１Ａを備えることによって、硬く、清掃対象場所を擦る場合に力を加えても破れることがないようになっている。また、清掃用シート２０は、内部に界面活性剤１Ｂ、及び発泡剤１Ｃを備えることによって、清掃用シート２０を水中に投棄した際に、発泡剤１Ｃが発泡するとともに界面活性剤１Ｂが水中に溶けて壁面を洗浄するようになっている。
【００２７】
具体的に、図３に示すように、界面活性剤１Ｂ及び発泡剤１Ｃは、剛性シート１Ａと中間シート２Ａ、２Ｂとの間に介在するように備えられている。
界面活性剤１Ｂ及び発泡剤１Ｃは、剛性シート１Ａと同様に中間シート２Ａ、２Ｂにより覆われているため、清掃用シート１０が所定値未満の湿潤状態にあるときには、乾燥状態に保たれるようになっている。
また、清掃用シート１０を水中に投棄した際には、外層シート３Ａ、３Ｂ、中間シート２Ａ、２Ｂ、の溶解に伴って水中に溶け出すこととなる。
このため、界面活性剤１Ｂは、例えば、粉末、顆粒、シート状、シート含浸・内包型等の何れであっても利用可能である。
なお、界面活性剤としては、脂肪酸ナトリウム等のアニオン性界面活性剤、アルキルトリメチルアンモニウム塩等のカチオン性界面活性剤、アルキルジメチルアミンオキシド等の双性界面活性剤、ポリオキシエチレンアルキルエーテル、脂肪酸ソルビタンエステル、アルキルポリグルコシド、脂肪酸ジエタノールアミド、アルキルモノグリセリルエーテル等のノニオン性界面活性剤等、が何れも適応可能である。
また、発泡剤１Ｃは、例えば、炭酸カリウム、炭酸カルシウム、炭酸ナトリウム等の炭酸塩、過炭酸ナトリウム等の過炭酸塩、アルカリ金属やアルカリ土類金属の塩素酸塩、及びアルカリ金属やアルカリ土類金属の超酸化物塩や過酸化物、等が利用可能であるが、特に、安定性の観点から炭酸塩、過炭酸塩が好ましい。
なお、発泡助剤として、例えば塩化アンモニウム、クエン酸等の炭酸よりも強い酸を含有させても良い。
また、発泡剤及び発泡助剤（例えば、炭酸ナトリウムと塩化アンモニウム等）を別々に中間層で包んでおき、水中に投棄時に水中で反応させるようにすることもできる。
【００２８】
次に、本実施形態の作用について説明する。
清掃用シート２０は、その内部に剛性シート１Ａの他に界面活性剤１Ｂ及び発泡剤１Ｃが備えられている。よって、清掃用シート２０を水中に投棄した際には、発泡剤１Ｃは水と反応して炭酸ガスを発生させる。このとき発泡によって便器内の水面が僅かに上昇し、便器壁面の水と接する部分に付着した汚れを浮かせるため、便器内の喫水線部の汚れを界面活性剤１Ｂにより除去することが可能となる。
【００２９】
以上のように、本実施形態の清掃用シート２０によれば、第１実施形態と同様の効果が得られるのは勿論のこと、使用後に水に投棄すると、便器内の水面が僅かに上昇して便器壁面の水と接する部分に付着した汚れを浮かせ、その状態で洗剤が放出されるため、便器内の喫水線部の汚れも除去されることとなって、より衛生的且つ機能的に清掃を行うことができる。
【００３０】
なお、上記第２実施形態においては、機能材として、剛性シート１Ａ、界面活性剤１Ｂ、及び発泡剤１Ｃが備えられた構成について説明したが、例えば、剛性シート１Ａ及び界面活性剤１Ｂだけを備えた構成であっても良い。その場合であっても、清掃用シート２０が水中に投棄されると、界面活性剤１Ｂが水中に溶けて壁面を洗浄することとなる。
あるいは、機能材としては、界面活性剤１Ｂ及び発泡剤１Ｃだけ備えた構成であっても良い。その場合、清掃用シート２０が水中に投棄されると、発泡剤１Ｃが発泡するとともに界面活性剤１Ｂが水中に溶けて壁面を洗浄することとなる。
【００３１】
また、上記第１、第２実施形態においては、機能材として剛性シート１Ａ、界面活性剤１Ｂ、及び発泡剤１Ｃを例示して説明したが、機能材の成分はこれに限定されるものではなく、図４に示すように、他の機能材１Ｘを更に含むこともできる。
図４は、機能層１に、機能材として、剛性シート１Ａ、界面活性剤１Ｂ、発泡剤１Ｃ、及び他の機能材１Ｘを備えた清掃用シート３０の例である。
他の機能材１Ｘとしては、具体的には、例えば、便器内の水よりも便器壁面との親和性の高い成分、水に反応して変色する指示薬、水溶性マイクロカプセルに内包された香料、シクロデキストリン等の包接化合物、酸とアルカリ（強酸と弱塩基の塩、弱酸と強塩基の塩など）等の互いに反応して発熱する２成分の物質、石灰、鉄粉、尿素、糖アルコール、硝酸アンモニウム等の水と反応して発熱又は吸熱する反応物質、等が挙げられる。
【００３２】
例えば、機能材として、便器内の水よりも便器壁面との親和性の高い成分を含有させた場合、清掃用シート３０を水中に投入した後は、当該成分は水面に浮き、最も汚れが付着し易い喫水線近辺をコートすることとなる。具体的には、油系で水と混ざり難い油性成分等が挙げられる。
また、機能材として、水に反応して変色する指示薬を含有させた場合、例えば清掃中に清掃用シート３０が過度の汚水等に曝された際には、これに伴って清掃用シート３０が変色することとなり、使用者は清掃用シート３０を流すタイミングを知ることができる。
また、機能材として、水溶性マイクロカプセルに内包された香料を含有させた場合、清掃用シート３０を水中に投入した後に、芳香することとなる。
また、機能材として、シクロデキストリン等の包接化合物を含有させた場合、清掃用シート３０を水中に投入した後、水中の悪臭成分を封じ込めることとなる。
また、機能材として、酸とアルカリ等の互いに反応して発熱する２成分の物質を含有させた場合、清掃用シート３０を水中に投入した後、中和熱が発生し、水中温度を変化させて汚れを落とし易くする。
また、機能材として、石灰、鉄粉、尿素、糖アルコール、硝酸アンモニウム等の水と反応して発熱又は吸熱する反応物質を含有させた場合、清掃用シート３０を水中に投入した後、例えば、石灰や鉄粉であれば発熱し、例えば、尿素、糖アルコール、硝酸アンモニウムであれば吸熱して、水中温度を変化させて汚れを落とし易くする。
【００３３】
即ち、清掃用シート３０が多量の水に曝された際には、付与した機能が発現することとなる。従って、より効果的に清掃を行うことができる。
【００３４】
なお、これらの機能材のうち何れを用いるかは適宜設定可能であり、何れか１つを選択して含有させても良いし、複数種類同時に含有させても良い。
また、上記の清掃用シート３０の例では、機能層１に、機能材として、剛性シート１Ａ、界面活性剤１Ｂ、発泡剤１Ｃ、及び他の機能材１Ｘが備えられた構成について説明したが、剛性シート１Ａ、界面活性剤１Ｂ、及び発泡剤１Ｃの機能材が介在することなく、他の機能材１Ｘのうち、少なくとも一つが含まれる構成であってもよい。
【００３５】
また、上記第１、第２実施形態においては、機能層１の構成として、剛性シート１Ａと中間シート２Ａ、２Ｂとの間に、界面活性剤１Ｂ及び発泡剤１Ｃが介在することとして説明したが、図５（ａ）に示すように、剛性シート１Ａと界面活性剤１Ｂと発泡剤１Ｃとが、中間シート２Ａ、２Ｂの内部で混在するように構成しても良い。
また、図５（ｂ）に示すように、剛性シート１Ａと、界面活性剤１Ｂと、発泡剤１Ｃと、を別々に中間シート２Ａ、２Ｂで覆うように構成することとしても良い。
【００３６】
また、上記第１、第２実施形態においては、清掃用シートは、機能層１、中間層２、及び外層３から構成されることとして説明したが、例えば、図６（ａ）に示すように、中間シート２Ａと外層シート３Ａとの間、及び中間シート２Ｂと外層シート３Ｂとの間に、それぞれ、水解性又は水溶性を有し、水分の浸入を遮断する遮水層４を設けることとしても良い。
この遮水層４は、例えば、多量の水が存在する場合にのみ水分を透過させる貫通孔の形成されたフィルムやパルプ、自身が吸湿して内部への湿気の流入を阻止し、吸水量の臨界点に達した時点で内部に水が流入するセルロース系の不織布、積織ウェブ、ＳＡＰシート等で構成することができる。
なお、この遮水層４は、図６（ｂ）に示すように、剛性シート１Ａと中間シート２Ａ、２Ｂとの間に設けることとしても良い。
また、図示は省略するが、中間シート２Ａと外層シート３Ａとの間、中間シート２Ｂと外層シート３Ｂとの間、及び剛性シート１Ａと中間シート２Ａ、２Ｂとの間に、遮水層４を設けることとしても良い。
【００３７】
また、上記第１、第２実施形態においては、外層シート３Ａ、３Ｂの外面（表面及び裏面）は平坦なものであったが、外層シート３Ａ、３Ｂの外面に凹部及び凸部を形成することとしても良い。
この場合、凸部により汚れ掻き取り効果が向上し、凹部により汚れ収容効果が向上するため、汚れ除去効果を向上させることができる。
【００３８】
また、外層シート３Ａ、３Ｂ（清掃用シートの表裏）が識別可能となるように着色することとしても良い。
【符号の説明】
【００３９】
１０、２０、３０  清掃用シート
１  機能層
１Ａ  剛性シート（機能材）
１Ｂ  界面活性剤（機能材）
１Ｃ  発泡剤（機能材）
１Ｘ  他の機能材（機能材）
２  中間層
２Ａ、２Ｂ  中間シート
３  外層
３Ａ、３Ｂ  外層シート
４  遮水層
【図１】
0005498081.tif 000002
【図２】
0005498081.tif 000003
【図３】
0005498081.tif 000004
【図４】
0005498081.tif 000005
【図５】
0005498081.tif 000006
【図６】
0005498081.tif 000007